(57)【要約】  【課題】簡単な構造で高い矯正機能が発揮される姿勢矯正具を提供する。  【手段】姿勢矯正具は、人の背に重なるバックサポート１と、バックサポート１の上部に取付けた左右のサスペンダーベルト２とを備えている。バックサポート１は、その下部をズボンＳとバンドＢとの間に差し込み得る長さであり、バックサポート１の下部には抜け止め用の突起１６，１７を設けている。サスペンダーベルト２の先端には、バンドＢに引っ掛けられるフック３を設けている。矯正具とズボンＳとバンドＢとが一体になって人の前傾姿勢に対する抵抗として作用するため、人は背筋を延ばした状態に保持される。【選択図】        図４
2006305290.tif 000002
【特許請求の範囲】
【請求項１】
人がズボン類を穿いた状態で装着する姿勢矯正具であって、
人の背に重なって殆ど上下動しない状態に保持されるバックサポートと、人が穿いたズボン類の腰口部又はバンドを人の腹部の箇所において吊支する左右２つの係止具とを備えており、前記左右の係止具はそれぞれ吊支手段を介してバックサポートで吊り下げられている、
姿勢矯正具。
【請求項２】
前記バックサポートは剛体構造であると共に、下部をズボンの内側又はズボンを止めているバンドの内側に差し込みできる長さになっている一方、前記吊支手段は撓み変形自在なサスペンダーベルトであり、このサスペンダーベルトをバックサポートの上端部に取付けている、
請求項１に記載した姿勢矯正具。
【請求項３】
前記バックサポートの下部には、ズボンを止めているバンドに下方から引っ掛かるストッパー手段を設けている一方、前記左右サスペンダーベルトの下端には、前記バンドに引っ掛けることのできるフックを設けている、
請求項２に記載した姿勢矯正具。
【請求項４】
人の背に重なる収納部と左右の背負いベルトとを備えているリュックを姿勢矯正具として使用するに際して用いるフック又はバックサポートであって、
前記フックは、リュックにおける背負いベルトの下部に着脱自在に取付けるためのバックル部と人のバンドに下方から引っ掛け得る鉤部とを備えている一方、前記バックサポートは、剛体又は非剛体であって人の肩から腰まで延びる長さを有しており、上部にはリュックへの取付け部を備えており、下部には、人がズボン類を止めているバンドに引っ掛けできるか又はバンドの内側に差し込みできる係止部を備えている、
姿勢矯正具に使用するフック又はバックサポート。
【発明の詳細な説明】
【技術分野】
【０００１】
本願発明は、人が使用する姿勢矯正具に関するものである。
【背景技術】
【０００２】
人は立ったり座ったりしている状態で背筋が伸びていると心肺の機能が活性化すると共に脊椎への負担も減少して身体によく、また、精神的にも前向きになるので好ましい。そこで、背筋を伸ばした状態に保持する姿勢矯正具が数多く提案されている。例えば特許文献１，２には、全体を柔軟なベルトやサポーターで構成した姿勢矯正具が提案されており、また、特許文献３には、人の背に当たる部分を剛体構造とした姿勢矯正具が提案されている。
【０００３】
また、人がゴルフでスイングを行う場合も、背筋が延びているとリキミがなくなって良いスコアを出すことができるものである。そこで、姿勢矯正具の一種として、ゴルフ用のスイング矯正具が提案されており、その例として特許文献４では、人の背に重なる縦長の棒にベルトを取り付けたものを提案している。
【０００４】
なお、傘ホルダーを背負ってベルトで身体に固定する方式の傘保持具は例えば特許文献５，６を初めとして多数提案されている。この背負い方式の傘保持具は必ずしも人の姿勢矯正を目的としたものではないが、傘ホルダーが人の背に当たることにより、結果的に姿勢矯正機能も果たし得ると言える。
【特許文献１】特開２００１−２２４６１３号公報
【特許文献２】特開２００２−２２４１５０号公報
【特許文献３】特開２０００−３２５３７７号公報
【特許文献４】特開２００４−２２９７５４号公報
【特許文献５】特開平８−１９６３１９号公報
【特許文献６】特開２０００−４１８２４号公報
【発明の開示】
【発明が解決しようとする課題】
【０００５】
特許文献３，４のように人の背に当たる剛体部を備えている矯正具は、猫背気味になると背中への抵抗が大きくなって人に違和感を与えることを利用して、正しい姿勢を保持しようとするものであり、剛体部に取り付けたベルトで身体に固定するようになっている。しかしながら、更に高い矯正効果を持つ矯正具が要請されている。
【０００６】
また、従来の矯正具は人が着ている衣服とは関係なく身体に取り付けできるようになっており、このため、殆ど例外なく、腹の部分に巻くベルトを備えている。しかし、バンド（ベルト）で止めるズボンを人が穿いてると、ズボンのバンドと矯正具のベルトとが並んだり重なったりして腹部に圧迫感を与えることがあった。
【０００７】
更に、ウォーキングする場合のように人目に触れる場合、姿勢矯正具を使用していることを人に見られたくないという要望も多いが、特許文献３，４の矯正具を装着した状態で上着を着ることは難しいため、装着状態を隠したい（人目を気にせずに姿勢矯正具を使用したい）という要望には応え難いという点も問題であった。
【０００８】
本願発明は、このような現状を改善することを課題とするものである。
【課題を解決するための手段】
【０００９】
ところで、人の上半身は主として腰椎の箇所を中心にして曲がるから、背筋を伸ばした状態を保持するには腰椎の箇所でなるべく曲がらないようにする必要がある。換言すると、腰椎が曲がろうとすることに対する抵抗ができるだけ高いのが好ましい。
【００１０】
他方、従来の姿勢矯正具は既述のとおり衣服とは関係なく身体に装着できるようになっているが、下部のベルトは人の腹部に位置しているため、姿勢矯正具を装着した状態のままでも上半身を曲げやすく、このため矯正機能は必ずしも満足できるとは言えない（例えば、人は腰ベルト付きのリュックサックを背負った状態でも身体を容易に屈めることができるが、この点からも、従来の姿勢矯正具の機能が弱いことを推測できる。）。
【００１１】
人がズボンを穿いている場合は、当然ながら人の骨盤の部分はズボンで覆われているが、ズボンは身体の動きに対してかなりの抵抗として作用し得るものである。本願発明者はこの点に着目し、姿勢矯正具の働きをズボンに補助させると矯正機能を高め得るのではないかと考え、実験と試作を繰り返して本願発明を完成させるに至った。
【００１２】
すなわち本願発明の姿勢矯正具は人がズボン類を穿いた状態で装着するものであり、請求項１の発明に係る姿勢矯正具は、人の背に重なって殆ど上下動しない状態に保持されるバックサポートと、人が穿いたズボン類の腰口部又はバンドを人の腹部の箇所において吊支する左右２つの係止具とを備えており、前記左右の係止具はそれぞれ吊支手段を介してバックサポートで吊り下げられている。
【００１３】
請求項２の発明に係る姿勢矯正具は、請求項１において、前記バックサポートは剛体構造であると共に、下部をズボンの内側又はズボンを止めているバンドの内側に差し込みできる長さになっている一方、前記吊支手段は撓み変形自在なサスペンダーベルトであり、このサスペンダーベルトをバックサポートの上端部に取付けている。
【００１４】
請求項３の発明は請求項２を具体化したもので、前記バックサポートの下部には、ズボンを止めているバンドに下方から引っ掛かるストッパー手段を設けている一方、前記左右サスペンダーベルトの下端には、前記バンドに引っ掛けることのできるフックを設けている。
【００１５】
本願発明の姿勢矯正具は必ずしも専用品である必要はなく、リュックやシャツのように他の機能を備えている物品を構成要素として流用することも可能である。このように他の用途を備えている物品を姿勢矯正具に兼用する場合、姿勢矯正具としての機能を発揮させるための部材が必要である。その例として請求項４では、人の背に重なる収納部と左右の背負いベルトとを備えているリュックを姿勢矯正具として使用するに際して用いるフック又はバックサポートを提案している。
【００１６】
すなわち、前記フックは、リュックにおける背負いベルトの下部に着脱自在に取付けるためのバックル部と人のバンドに下方から引っ掛け得る鉤部とを備えている。一方、前記バックサポートは、剛体又は非剛体であって人の肩から腰まで延びる長さを有しており、上部にはリュックへの取付け部を備えており、下部には、人がズボン類を止めているバンドに引っ掛けできるか又はバンドの内側に差し込みできる係止部を備えている。この請求項４では、リュックの背負いベルトが吊支手段を兼用している。
【００１７】
本願において「ズボン類」の用語は人の下半身用外着を総称する概念で使用しており、従って、足を包む部分が二股になっている一般的な意味でのズボン（スラックス，パンツ）の他に、女性用のスカートも含んでいる。言うまでもないが、通常の意味でのズボンには半ズボンも含まれている（なお、キュロットスカートは一種の半ズボンと見ることもできる）。
【発明の効果】
【００１８】
本願発明では、バックサポートが殆ど上下動しない（すなわち前屈みなってもあまりずれ動かない）ことにより、ズボン又はバンドが腹部の箇所において吊り上げた状態にしっかりと保持される。この場合、バックサポートが背中に重なっていることにより、人のズボン類又はバンドはバックサポートを柱にして上から吊り上げられたような状態になり、このため、人は上半身を起こした正しい姿勢に保持される。また、本願発明ではバックサポートを人の腰部に止めるベルトは必ずしも必要ないため、人の腹部を過度に圧迫する不具合も防止できる。
【００１９】
請求項２のように構成すると、人の背に重なったバックサポートの下部がズボンの内側又はズボン用バンドの内側に入り込んでいるため、バックサポートの下部は人の骨盤や腰椎の下部に後方から当たった状態が保持されており、このため、バックサポートは前傾しにくい状態に保持されている。
【００２０】
そして、バックサポートがズボン又はバンドによって前傾しにくい状態に保持されつつ、サスペンダーベルトによってズボン又はバンドが吊られているため、いわば、人の上半身は固定式のバックサポートの上部からサスペンダーベルトを介して後ろ側に引っ張るような傾向を呈している。このため、人が前傾しようとすることに対する抵抗が大きくて、背筋を伸ばした状態に保持する機能が高い。換言すると、姿勢矯正具はズボン（及びバンド）と一体になることにより、人の前傾姿勢に対する抵抗が高くなっており、このため、簡単な構造でありながら高い姿勢矯正機能（姿勢保持機能）を発揮できる。
【００２１】
また、バックサポートの下部はズボン又はバンドの内側に入っていると共に、サスペンダーベルトはズボン又はバンドに取り付いているため、人が上着を着ると姿勢矯正具は必然的に上着で隠れることになる。すなわち、上着の着脱を阻害することなく姿勢矯正具を装着することができる。このため、人目を気にすることなく装着することができる。この点も本願発明の優れた特徴の１つである。
【００２２】
ズボンの腰口を身体に止める方法としては、バックル付きのバンド（ベルト）を使用する場合と、腰口にゴムを取付ける場合とがあるが、バンドで止めるズボンを着用すると、バンドは延びないため、バックサポートが前傾しようとするとベルトで人の前腹が強く圧迫されることになり、このため、人の前傾に対する抵抗が高くなって姿勢保持機能をより向上することができる。また、バックサポートの下部はズボンの外面に重なっているため、バックサポートの下部で身体が圧迫され過ぎることを防止できる。従って、本願発明の姿勢矯正具はベルトで止めるズボンとセットで使用すると好適である。
【００２３】
そして、サスペンダーベルトでズボン又はバンドを吊っていると、サスペンダーベルトは下向きに引っ張られてバックサポートが上向きに引かれる傾向を呈するが、請求項３のように構成すると、バンドで止めるズボンを着用した場合において、姿勢矯正具のバックサポートが上向きにずり上がることをストッパー手段によって防止できるため、バックサポートがベルトから抜け出る不具合はない。また、請求項２のように構成すると、サスペンダーベルトをズボンのバンドにワンタッチで引っ掛けることができるため、姿勢矯正具の装着を簡単に行える利点がある。
【００２４】
請求項４のように構成すると、リュックを姿勢矯正具に兼用できるため汎用性を向上できると共に、体裁が良い利点がある。なお、リュックを姿勢矯正具として使用する場合、リュックの背部をバックサポートに兼用することが可能であり、従って、少なくともフックがあれば足り、バックサポートは必ずしも必要はない（但し、両者を併用すると好適である）。
【発明を実施するための最良の形態】
【００２５】
次に、本願発明の実施形態を図面に基づいて説明する。
【００２６】
(1).第１実施形態の概要
図１〜図５では第１実施形態を示している。このうち図１は、仮想線で示した人Ｍが姿勢矯正具を装着した状態の背面図であり、姿勢矯正具は、人Ｍの背にシャツ類を介して当たる上下長手のバックサポート１と、一端（基端）をバックサポート１の上端部に取り付けた左右一対のサスペンダーベルト２とを備えている。
【００２７】
バックサポート１は合成樹脂成形品であって剛体構造であり、その下部は人が穿いているズボンＳのバンドＢよりも下方に延びており、バックサポート１の下部はバンドＢの内側に挿入されている。他方、サスペンダーベルト２は人の肩を回ってズボンＳのバンドＢまで延びており、両サスペンダーベルト２の他端（先端）には、係止具の一例として、バンドＢに引っ掛かけてこれを吊支するフック３を取り付けている。
【００２８】
フック３は、その鉤部が外向きになるようにバンドＢに内側から引っ掛けている（バンドＢに外側から引っ掛けてもよいが、バンドＢに内側から引っ掛けると、身体への圧迫感がないと共に、バンドＢから外れにくい利点がある。）。バンドＢはその長さを調節できるように調節具（バックル）４を備えている。以下、姿勢矯正具の詳細を図２以下の図面も参照して説明する。
【００２９】
(2).第１実施形態の構造の詳細
図２のうち（Ａ）は姿勢矯正具のみの一部省略背面図、（Ｂ）は使用状態での（Ａ）のＢ−Ｂ視一部破断図、図３のうち（Ａ）はバックサポート１の正面図、（Ｂ）はバックサポート１の側面図、図４（Ａ）はバックサポート１を正面方向から見た斜視図である。
【００３０】
バックサポート１は、当該バックサポート１の正面形状及び背面形状を成す基板５を備えており、基板５は、上端寄り部位にくびれ部６を有し、くびれ部６の下方には外向き突に湾曲した膨大部７が続き、膨大部７の下方の部分は全体として下端に向けて巾狭となりながら側面は緩く蛇行した形状になっている。基板５の上端部でかつ左右両端部には、サスペンダーベルト２が取付く取り付け穴８が空いている。
【００３１】
バックサポート１の具体的な寸法は必要に応じて設定できるが、例えば、膨大部７の最大巾寸法は７０〜１００ｍｍ程度、下端の巾寸法を２０〜４０ｍｍ程度、全長は３００〜４５０ｍｍ程度の寸法を採用できる。大きさや形状が相違するものを複数種類用意しておくのも一案である。
【００３２】
バックサポート１の基板５には、その外周に沿って延びつつ表面側（片側）に突出した周壁９と、周壁９で囲われた内側に位置した内リブ１０の群とが一体に形成されている。これら周壁９と内リブ１０の存在により、バックサポート１に全体としての厚みが付与されていると共に、全体をほぼ等しい肉厚としつつ強度が保持されている。
【００３３】
周壁９と内リブ１０との側面形状は同じになっている。具体的には、くびれ部６を挟んだ部分は高さが高くて（例えば３０〜４０ｍｍ程度）円弧条の第１山形部１１に形成されており、その下方には短い長さの第１平行部１２が続き、第１平行部１２の下方には第１山形部１１と同じ程度の上下巾で高さは低い緩やかなな第２山形部１３が続き、第２山形部１３の下方には第２平行部１４が連続している。
【００３４】
本実施形態では、バックサポート１はその表面を前向きにした状態と裏面を前向きにした状態とのいずれの状態でも使用できるようになっている。従って、厳密にはどちらが表でどちらが裏とは言えないのであるが、説明の便宜上、大きな凹凸のある部分を表面と称している。そして、バックサポート１の表面側に高さが異なる山形部１１，１３を形成しているのは、人の背中に対する指圧効果を狙ったものである。
【００３５】
周壁９のうち取り付け穴８の外側の部分には、サスペンダーベルト２と干渉を回避するため切欠き１５が形成されている。また、バックサポート１の下部には、人のズボンＳのバンドＢに下方から引っ掛かるストッパー手段の一例として、最下端に位置した第１突起１６と、それよりもある程度上方に位置した第２突起１７とを形成している。
【００３６】
既述のようにバックサポート１は表裏いずれを前向きにしても使用できるため、両突起１６，１７は表裏両側に突出している。両突起１６，１７の左右横幅はバックサポート１の横幅よりも小さい（１０〜２０ｍｍ程度で良い）。これは、バンドＢへの挿入の便宜のためである。また、バンドＢの内側への挿入のガイドのため傾斜リブ１８を設けている。両突起１６，１７の間隔寸法は、第２突起１７をバンドＢに引っ掛けた状態で第１突起１６が人の尾てい骨のあたりに位置するような寸法に設定すると、尾てい骨のあたりに対する指圧効果が発揮されて好適であった。具体的には、一般的な成人用姿勢矯正具であると、両突起１６，１７の間隔は７０ｍｍ程度が好適であった。
【００３７】
身長の違いや好みに応じて、バンドＢに引っ掛ける突起を第１突起１６と第２突起１７とから選択しても良いし、身長には関係なく、専ら第２突起１７をバンドＢに引っ掛けて、第１突起１６は人の臀部に対する刺激用に使用することも可能である。
【００３８】
サスペンダーベルト２の一端はバックサポート１の取り付け穴８に離脱不能に固定しているが、図２（Ｃ）に別例として示すように、サスペンダーベルト２の一端に設けた樹脂製又は金属製のフック２０をバックサポート１の取り付け穴８に引っ掛けても良い。フック２０は戻り止め２０ａを設けたタイプが好ましい。
【００３９】
本実施形態のサスペンダーベルト２は基端側部分２ａと先端側部分２ｂとに分離しており、両者を調節具４で連結することにより、全体の長さを調節できるようになっている。本実施形態の調節具４は回動式のピン４ａを備えていて、ピン４ａをサスペンダーベルト２の先端側部分２ｂのピン穴２ｃに嵌め変えることで全体の長さを段階的に調節できるようになっている。敢えて述べるまでもないが、調節具４は様々のタイプを使用できる。また、必ずしもサスペンダーベルト２は２本に分離する必要はない。
【００４０】
(2).傘ホルダーの取り付け構造
バックサポート１の上部には、傘を取り付けることができる。この点を主として図５に基づいて説明する。図５（Ａ）は傘ホルダー２１の斜視図であり、傘ホルダー２１は合成樹脂製であり、傘の柄２２のグリップ２２ａが上方から差し込むまれる上向き開口のケース２３を備えている。ケース２３の前面には、上下一対の係合爪２４と、上下の爪２４の間に位置した位置決め突起２５とを突設している。
【００４１】
上部の係合爪２４は側面視で上向き鉤状であり、下部の係合爪２４は側面視で下向き鉤状に形成されており、また、上下係合爪２４と位置決め突起２５との左右横幅は同じ寸法に設定されている。他方、バックサポート１の上部には、保持取り付け部の一部として、上下係合爪２４と位置決め突起２５とが左右ずれ不能に嵌まる正面視縦長で前後に開口した角筒部２６と、ケース２３が内側から嵌まる囲いリブ２７とが形成されている。
【００４２】
角筒部２６は内リブ１０を利用して形成されており、角筒部２６には、上下の係合爪２４がその弾性に抗して変形することによって噛み合う係止部２８と、位置決め突起２５を上下ずれ不能に保持する上下２本ずつの位置決めリブ２９とが形成されている。また、角筒部２６の左右内側面には、上下の係合爪２４を左右動不能に保持する薄肉の段部３０が形成されている。
【００４３】
傘ホルダー２１は、その係止爪２４及び位置決め突起２５を角筒部２６に後方から差し込むことによってバックサポート１にワンタッチで取り付けることができる。また、上下の係合爪２４の先端部より指を当てて互いに接近するように弾性変形させることによって簡単に取り外すことができる。
【００４４】
傘ホルダー２１のケース２３には、傘が簡単に離脱することを防止する固定手段の一例として、傘の柄２２のグリップ２２ａを押さえるねじ式のノブ３１を設けている。ノブ３１は、ケース２３に形成したポケット部２３ａに嵌め込まれたナット板３２にねじ込まれている。ノブ３１とケース２３の側面から横向きに露出しているが、これは、上着との干渉を回避するためである。
【００４５】
傘の柄２２の抜け防止をより的確に実現するため、ケース２３の開口縁部には、当該ケース２３の内部において下方に延びる板ばね製の押さえ部材３３を上方から抜け不能に嵌め込んでおり、この押さえ部材３３をノブ３１で傘の柄２２のグリップ２２ａに押し付けている。ケース２３には、押さえ部材３３を横ずれ不能に保持する第１ストッパー２３ｂと、上向き抜け不能に保持する第２ストッパー２３ｃとを形成している。そして、押さえ部材３３の先端を傘の柄２２のグリップ２２ａに形成された多数の凹凸に係合させることによって抜け防止を図っている。押さえ部材３３をグリップ２２ａの上端面に係合させることも可能である。
【００４６】
なお、傘の柄のグリップはストレートタイプのみでなく湾曲したものも多いが、この場合は、ケースを横向き開口又は後向き開口した形態に形成して、傘の柄のグリップを水平方向からケースに差し込むように構成したら良い。この場合も、ノブ等の固定手段でグリップをケース２３に押さえ固定することになる。
【００４７】
(3).まとめ
以上の構成において、バックサポート１の下端はその下端がズボンＳとバンドＢとの間に入りんでいるため、バックサポート１の下端はしっかりと押さえられている。そして、人が前傾姿勢を採ろうとすると、腰椎の部分がバックサポート１の下端部で強く圧迫されると共に、バンドＢにテンションが掛かることによって腹部が圧迫され、このため、前傾姿勢に対して高い抵抗が付与される。
【００４８】
ところで、仮にサスペンダーベルト２の他端がバンドＢに引っ掛けられていないと、人が前傾姿勢を採るとバックサポート１は上向きにずり上がる傾向を呈し、このため、人の身体に対するバックサポート１の抵抗が弱くなる。これに対してサスペンダーベルト２でズボンＳのバンドＢが腹部の箇所で吊られていると、ズボンＳの後部がずり上がることが阻止されるため、バックサポート１のずり上がりは殆どなく、このため、高い姿勢保持機能を確保できるのである。
【００４９】
また、本願発明の姿勢矯正具が高い矯正機能を持つ理由は、次のようにも説明できる。すなわち、人が上半身を屈めると背中の肩から腰までの上下長さは背筋を伸ばしている時に比べて長くなり、このため、人の胴体の側面視での周回りの寸法（背中−肩−胸−腹−股−腰−背中を結ぶ閉ループの寸法）は、直立姿勢のときよりも前傾姿勢のときが大きくなるが、本願発明では、姿勢矯正具とズボンＳとで構成されるループの長さは一定であるため、人が前傾姿勢を採ることが許容されにくく、このため、姿勢保持機能（矯正機能）が高いと言える。
【００５０】
図４（Ｂ）は変形例の背面図、（Ｃ）は（Ａ）の一部破断側面図である。この変形例では、囲いリブ２７の箇所を除いて基板５を厚さ方向の中間部に位置して、表裏両側に周壁９と内リブ１０とを設けている。このように構成すると、バックサポート１を合成樹脂の射出成形で製造するにおいて、表裏両側で樹脂の成形収縮を均等化できるため、バックサポート１が反ることを防止できる利点がある。
【００５１】
(4).第２〜第７実施形態（図６〜図８）
図６では第２実施形態を示している。（Ａ）は正面図、（Ｂ）は縦断側面図、（Ｃ）は背面図、（Ｄ）は平面図である。この実施形態はバックサポート１の別形態を示すもので、バックサポート１は全体として等巾の長方形に形成されている。また、本実施形態のバックサポート１は１つの突起１６しか備えていない一方、サスペンダーベルト２が取付く取り付け穴８は上下２カ所に設けている。周壁９と内リブ１０とを備えている点は第１実施形態と同じである。
【００５２】
図７では第３実施形態を示している。（Ａ）は横向き姿勢にした正面図、（Ｂ）は横向き姿勢にした側面図である。この実施形態ではバックサポート１は全体として板状に形成されており、また、人が装着した状態で側面視後向き凹となるように緩く湾曲している。この例では、姿勢矯正具を装着すると人は上半身を後側に反り気味となるため、姿勢矯正機能はより高くなる。
【００５３】
図８（Ａ）では第４実施形態を示している。この実施形態では、バックサポート１のうち人の身体に当たる側の面に、クッション手段の一例として、エラストマー等の軟質層３５を一体に形成している。刺激に対する感度は身体の部位によってまちまちであるから、バックサポート１のうち、刺激に対して敏感な部分に当たる部分だけにクッション手段を設けても良い。
【００５４】
図８（Ｂ）ではサスペンダーベルト２の他端に設ける係止手段の別例である第５実施形態を示している。すなわちこの第５実施形態では、係止手段としての固定具３６を、ホルダー３７のスライド作用によってクランプ体３８が開閉するタイプに構成している。バンドＢを使用しない場合はサスペンダーベルト２でズボンＳを吊る必要があるが、この場合は、第４実施形態のような固定具３６を使用すると好適である（ズボンに、フックが引っ掛かる部分を縫い付け等によって設けておいても良い。）。
【００５５】
図８（Ｃ）に示す第６実施形態もサスペンダーベルト２の係止手段の別例であり、この実施形態では、係止手段の一例として、サスペンダーベルト２の他端部にバンドＢが通るリング部３９を形成している。図８（Ｄ）では、バックサポート１に形成するストッパー手段の別例である第７実施形態を示している。すなわちこの実施形態では、ストッパー手段として、バックサポート１の下部にバンドＢが嵌まる凹所４０を形成している。
【００５６】
(5).第８実施形態（図９〜図１０）
図９〜図１０では、リュックを姿勢矯正具に兼用した第８実施形態を示しているす。図９のうち（Ａ）は全体の斜視図であり、リュック４２は通常のものであり、人の背に重なる収納部４３と左右の背負いベルト４４とを備えている。
【００５７】
収納部４３の上端には吊り下げて持つための提げ輪４５を設けており、この提げ輪４５に平ベルト製のバックサポート４６を取付けている。バックサポート４６は、取付け部の一例としてのバックル４７によって提げ輪４５に取付けており、バックサポート４６の下端にはフック４８を設けている（フック４８でバックサポート４６を提げ輪４５に取り付けることも可能であり、この場合は上下の方向性が無くなる利点がある）。
【００５８】
背負いベルト４４は、収納部４３の上端に一体に取付けられた厚肉状の上ベルト部４９と、収納部４３の下端に一体に取付けられた下ベルト部５０とから成っており、上ベルト部４９の下端に取付けたバックル５１に下ベルト部５０を通している。そして、下ベルト部５０のうちその付け根とバックル５１との間の部位にはフック４８を取付けている。
【００５９】
フック４８の詳細は図９（Ｂ）〜（Ｄ）に示している。すなわち、（Ｂ）は斜視図、（Ｃ）は正面図、（Ｄ）は縦断側面図であり、これらの図から理解できるように、フック４８は、バックサポート４６又は下ベルト部５０が取り付くバックル部４８ａと、人のバンドＢに引っ掛けるための上向きの鉤部４８ｂとを備えており、バックル部４８ａには、上下２つのベルト挿通穴５２が開口している。上方のベルト挿通穴５２の内部には、ベルトの引っ掛かりを良くするための歯が形成されている。
【００６０】
本実施形態のフック４８は合成樹脂製であり、フック４８の鉤部４８ｂは正面視で基部４８ｃの左右外側にずれている。これは、主として射出成形法で製造するに際して密着・離反する一対の金型のみで成形できるようにするためである。もちろ、正面視で鉤部４８ｂと基部４８ｃとが前後に重なる形態とすることも可能であり、また、フック４８を線材製や金属板製とすることも可能である。
【００６１】
図１０では使用状態を示しており（但し、人は表示していない）、この図に示すように、各フック４８でズボンのバンドＢを吊ることにより、姿勢矯正機能が発揮される。バックサポート４６及び背負いベルト４４は上向きのテンションが掛かる状態にしておくのが好ましい。背負いベルト４４の下ベルト部５０はバックル５１らはみ出た余長部５０ａを備えているが、この余長部５０ａにフック４８を取付けても良い。
【００６２】
また、バックサポート４６を設けることに代えて、リュック４２における収納部の下端中央部からバックベルトを吊り下げ、このベルトに設けたフックをバンドＢの後部に引っ掛けることも可能である（この場合は、リュック４２の背部がバックサポートを兼用することになる。）。この場合、バックベルトはリュック４２に縫着等によって固定しても良いし、着脱式としても良い。
【００６３】
(6).他の実施形態（図11）
図１１では他の実施形態を示している。このうち（Ａ）で示す第９実施形態は板状に形成された剛体構造のバックサポート１の別例であり、基本的には第１実施形態と同じである。バックサポート１の上端には取付け穴８が空いており、この取付け穴８を利用してリュック４２に取付けることができる。取付けは例えば紐で縛ったりフックで引っ掛けたりすることによって行われる。取付け穴８は左右に分離せずに、一点鎖線で示すように一つの長穴にしてもよい。
【００６４】
（Ｂ）に示すのはサスペンダーベルト２の別例である第１０実施形態であり、両端にフック４８を設けている。このサスペンダーベルト２を使用して（Ａ）のバックサポート１を装着することも可能である。
【００６５】
（Ｃ）及び（Ｄ）に示すのは第１１実施形態である。この実施形態において、バックサポート５３は樹脂板のような比較的薄い素材からなっていて人の背に重なるようになっており、かつ、バックサポート５３は人の肩に上方から嵌まる左右のフック状部５３ａと、バンドＢの下方まで延びる係止部５３ｂとを備えている。また、左右フック状部５３ａにサスペンダーベルト２を取付けている。バックサポート５３には、クッション材５４を張っている。
【００６６】
（Ｅ）及び（Ｆ）に示すのは姿勢矯正具をシャツと一体化した第１２実施形態である。この実施形態では、シャツ５５の内側に、腰のある素材からなるバックサポート５６を縫着等の適宜手段で一体に取付けている。バックサポート５６は人の胸の当たりまで延びるフロント部５６ａを設け、シャツ５５の前面に、フロント部５６ａの下端に取り付くバックル５７を設けて、このバックル５７にサスペンダーベルト２を取付けている。この例から理解できるように、姿勢矯正具を衣服と一体化することもできるのである。なお、洗濯の容易性からは、バックサポート５６は衣服に着脱方式とするのが好ましい。
【００６７】
(7).その他
本願発明は上記の実施形態の他にも様々に具体化することができる。例えばバックサポートの素材としては木を使用しても可能である。勿論、異種素材を併用してもよい。また、バックサポートの形状（正面形状、側面形状、断面形状）も様々に具体化することができる。例えばバックサポートの下部に、人の腰を後ろから抱く幅広部を形成するといったことも可能である。
【００６８】
バックサポートは用途によってその硬さを選択したらよい。従って、本質的に撓み変形しない剛体構造のものから、薄い樹脂板やダンボール状素材、或いは皮革のようにある程度は撓み変形するもの、厚い織地（或いは網地）のよう自在に撓み変形するものなど、様々の素材を選択できる。
【００６９】
バックサポートに補助取り付け部を設ける場合、様々のものを取付けることが可能である。例えばゴルフに際して使用する姿勢矯正具の場合は、ボールやティ類のような備品用の収納ケースを取付けることが可能である。また、ウォーキング用姿勢矯正具の場合であると、小物入れを取付けることも可能である。傘ホルダー等の補助部材をバックサポートに一体的に設けておくことも可能である。なお、本願発明の姿勢矯正具は、例えば椅子に腰掛けた状態で使用するというように、静止状態で使用することも可能である。
【図面の簡単な説明】
【００７０】
【図１】第１実施形態の使用状態の背面図である。
【図２】(A)は第１実施形態の背面図、 (B)は使用状態での (A)の一部破断 B-B視図    、 (C)は別例を示す図である。
【図３】バックサポートの正面図及び側面図である。
【図４】バックサポート１の斜視図である。
【図５】傘ホルダーの取り付け手段を示す図である。
【図６】第２実施形態を示す図である。
【図７】第３実施形態を示す図である。
【図８】第４〜第７実施形態を示す図である。
【図９】第８実施形態を示す図である。
【図１０】第８実施形態の使用状態を示す図である。
【図１１】第９〜１２実施形態を示す図である。
【符号の説明】
【００７１】
１，４６，５３，５６  バックサポート
２  サスペンダーベルト
３，４８  フック
１６，１７  突起
４２  リュック
【図１】
2006305290.tif 000003
【図２】
2006305290.tif 000004
【図３】
2006305290.tif 000005
【図４】
2006305290.tif 000006
【図５】
2006305290.tif 000007
【図６】
2006305290.tif 000008
【図７】
2006305290.tif 000009
【図８】
2006305290.tif 000010
【図９】
2006305290.tif 000011
【図１０】
2006305290.tif 000012
【図１１】
2006305290.tif 000013